(57)【要約】【課題】比較的簡易な構成からなる農業温室において、その強度を十分確保するとともに、耐用年数を長くでき、また、温室内部に設けられる各種設備を十分に支持することのできる農業用温室を提供することを目的とする。また、比較的支柱間隔の短い連棟式の農業用温室の場合であっても、温室内部において棟間移動ができる農業用温室を提供することを目的とする。【解決手段】略アーチ状に形成された管材１１，１２を奥行方向に所定間隔で複数個配置すると共に、前記各管材１１，１２を桁材１３，１４，１５で直交方向に連結して骨格を形成し、その上部からフィルム材Ｆを被覆して形成される農業用温室１０に、前記農業用温室１０内部に設けられる各種設備を支持すべく両妻面２０，２０側内部に前記骨格と連結するとともに前記骨格内側に近接又は内接する枠状の内部構造体３０，３０を配設した。【選択図】    図１
2010075160.tif 000002
【特許請求の範囲】
【請求項１】
略アーチ状に形成された管材を奥行方向に所定間隔で複数個配置すると共に、前記各管材を桁材で連結して骨格を形成し、その上部からフィルム材を被覆して形成される農業用温室であって、
農業用温室内部に設けられる各種設備を支持すべく両妻面側内部に前記骨格と連結するとともに前記骨格内側に近接又は内接する枠状の内部構造体を備えてなることを特徴とする農業用温室。
【請求項２】
前記農業用温室は、奥行方向と直交する横方向に複数の棟を接続する連棟式の農業用温室であって、
前記複数の棟間に配置し奥行方向に延設する前記内部構造体の桁材と、前記農業用温室の屋根材とを連結してなることを特徴とする請求項１に記載の農業用温室。
【請求項３】
前記内部構造体の桁材を支持する連棟間支柱は、前記複数の棟間の移動ができる所定間隔に配設されることを特徴とする請求項２に記載の農業用温室。
【請求項４】
前記農業用温室は、単棟式の農業用温室であって、
前記農業用温室の側面において、前記内部構造体の桁材と接続部材を介して、前記農業用温室と前記内部構造体とが連結してなることを特徴とする請求項１に記載の農業用温室。
【発明の詳細な説明】
【技術分野】
【０００１】
本発明は、農業用温室内部に設けられる各種設備を支持することのできる内部構造体を備えた農業用温室に関するものであり、より詳しくは、例えばパイプ式農業用温室の内部の両妻面側に主として角鋼管から形成する枠体を設置し、前記パイプ式農業用温室を構成するパイプ体と連結して温室内部に設けられる各種設備を支持できるようにして、簡易な構成であっても機能性を高めることができるようにすると共に前記パイプ式農業用温室自体の強度を高めた農業用温室に関する。
【背景技術】
【０００２】
一般に、パイプ式農業用温室は、例えば２０ｍｍ乃至２５ｍｍ程度の鋼管パイプをアーチ状に曲成して両端部を支柱用の鋼管パイプに連結し、このアーチ状部材を奥行方向に５００ｍｍ乃至６００ｍｍ程度の間隔で複数個配置して、直管パイプで前記各アーチ状部材を直交方向に繋いで骨格を形成し、その上部からフィルム材を被覆して構成されており、このような構成の農業用温室としては、実開平１−７７３４７号（特許文献１）に記載のものが公知である。
【０００３】
前記パイプ式農業用温室は、前記のように簡易に構成されているので、大型温室に対して安価にでき、構成部品も汎用部品であるため、入手が容易であり、また、建設も簡単で特殊な技術や特別な建設機器も不要であるという長所がある。
【０００４】
一方、農業用温室の内部には、換気設備（フィルム材を巻き上げるための巻き上げ軸及びこれを駆動するためのモーター等の設備）、遮光設備（遮光カーテンやこれを支持するために張設されたワイヤ等の設備）、灌水設備（散水用のホースおよびこれを支持するために張設されたワイヤ等の設備）、誘引設備（作物を誘引するための懸架線およびこれを支持するために張設されたワイヤ等の設備）、電照設備等の各種設備が設けられる場合がある。
【０００５】
しかしながら、前記パイプ式農業用温室は、比較的簡易な構成からなるため、温室内部に設けられる前記各種設備を十分に支持するだけの強度が不足して、前記各種設備を設置できない場合がある。また、前記パイプ式農業用温室は、比較的簡易な構成からなるため、強度が不十分で台風や積雪等の災害に弱く、また、連棟式のパイプ式農業用温室の場合、奥行方向の支柱間隔が狭いため、温室内部において隣接する棟への棟間移動（特にトラクタ等の農業器機の棟間移動）ができず、一度室外に出てから別棟に入らなければならず、作業効率が良くない等の短所を有している。
【０００６】
前記パイプ式農業用温室の強度を高めるものとしては、例えば、特開平７−３３１９０７号（特許文献２）に記載の農業用温室の補強構造が提案されている。前記の農業用温室の補強構造は、農業用温室の天井フレームの略中央部に補強取付け部を設けて、前記補強取付け部に一端を係止して天井フレームを下方へ牽引する補強線を架設して、前記補強取付け部に上端を当接させつつ補強支柱を立設して構成されている。そして、かかる構成によって、風圧で天井フレームが上下方向にあおり動作を受けても、これを抑制して天井フレームを略定位置に保持でき、フレームのボルト固定部や溶接部等に変形、破断が発生することなく、ハウスの倒壊を防止し、耐用年数を増大するようにしている。
【０００７】
【特許文献１】実開平１−７７３４７号公報
【０００８】
【特許文献２】特開平７−３３１９０７号公報
【発明の開示】
【発明が解決しようとする課題】
【０００９】
しかしながら、前記特開平７−３３１９０７号公報に記載された補強構造は、天井フレームを角鋼管によって形成されている農業用温室には好適であるが、パイプ式農業用温室の補強には適用し難く、前記温室内部に設けられる各種設備を十分に支持する構造ではなく、また、補強取付け部から架設される補強線によって、温室内部の奥行方向への移動が阻害される場合がある。
【００１０】
本発明は、かかる事情に鑑みてなされたものであって、比較的簡易な構成からなるパイプ式農業温室において、温室内部に設けられる各種設備を十分に支持することのできるようその強度を十分確保して各種設備の設置を可能とし温室の機能を高めると共に、風雪災害に対しても強い農業用温室を提供することを目的とする。
【００１１】
さらに本発明の他の目的は、比較的支柱間隔の短い農業用温室の場合であっても、連棟式の農業用温室内部において棟間移動（特にトラクタ等の農業器機の棟間移動）ができる農業用温室を提供することを目的とする。
【課題を解決するための手段】
【００１２】
請求項１に記載の農業用温室は、略アーチ状に形成された管材を奥行方向に所定間隔で複数個配置すると共に、前記各管材を桁材で直交方向に連結して骨格を形成し、その上部からフィルム材を被覆して形成される農業用温室であって、農業用温室内部に設けられる各種設備を支持すべく両妻面側内部に前記骨格と連結するとともに前記骨格内側に近接又は内接する枠状の内部構造体を備えてなることを特徴とする。
【００１３】
請求項１に記載の農業用温室にあっては、両妻面側内部に前記農業用温室と連結する枠状の内部構造体を設けたので、前記内部構造体に前記各種設備を直接支持させたり又は前記内部構造体間にブレース等を張設して該ブレースに前記各種設備を支持させるようにすることにができ、前記各種設備を支持するのに十分な強度が確保できることとなると共に通常のパイプ式農業用温室よりも素直方向における強度が増し、風雪災害に対しても強いものとなる。また、前記内部構造体は、前記パイプ式農業用温室を構成する骨格に近接又は内接するように配設しているので、温室内部の空間を広く用いることができる。
【００１４】
請求項２に記載の農業用温室は、請求項１に記載の農業用温室において、前記農業用温室は、奥行方向と直交する横方向に複数の棟を接続する連棟式の農業用温室であって、前記複数の棟間に配置し奥行方向に延設する前記内部構造体の桁材と、前記農業用温室の屋根材とが連結してなることを特徴とする。
【００１５】
請求項２に記載の農業用温室にあっては、連棟式の農業用温室において、前記内部構造体との連結がより強固になる。
【００１６】
請求項３に記載の農業用温室は、請求項２に記載の農業用温室において、前記内部構造体の桁材を支持する連棟間支柱は、前記複数の棟間の移動ができる所定間隔に配設されることを特徴とする。
【００１７】
請求項３に記載の農業用温室にあっては、比較的支柱間隔の短い農業用温室の場合であっても、連棟式の農業用温室内部において棟間移動（特にトラクタ等の農業器機の棟間移動）ができることとなる。
【００１８】
請求項４に記載の農業用温室は、請求項１に記載の農業用温室において、前記農業用温室は、単棟式の農業用温室であって、前記農業用温室の側面において、前記内部構造体の桁材と接続部材を介して、前記農業用温室と前記内部構造体とが連結してなることを特徴とする。
【００１９】
請求項４に記載の農業用温室にあっては、単棟式の農業用温室において、前記内部構造体との連結を簡易に行うことができる。
【発明の効果】
【００２０】
請求項１に記載の農業用温室によれば、略アーチ状に形成された管材を奥行方向に所定間隔で複数個配置すると共に、前記各管材を桁材で直交方向に連結して骨格を形成し、その上部からフィルム材を被覆して形成される農業用温室であって、農業用温室内部に設けられる各種設備を支持すべく両妻面側内部に前記骨格と連結するとともに前記骨格内側に近接又は内接する枠状の内部構造体を備えているので、通常のパイプ式農業用温室よりも強度（特に垂直方向の強度）が増すので、簡易な構成で農業用温室内部に設けられる各種設備を支持することができ、風雪災害にも強いものとなる。また、前記内部構造体を両妻面側に設けたので、両妻面側の支柱間間隔を広くとることができ、連棟式の農業用温室の場合であっても、温室内部において棟間移動（特にトラクタ等の農業機械の棟間移動）ができることとなる。また、前記内部構造体は、前記パイプ式農業用温室を構成する骨格に近接又は内接するように配設しているので、温室内部の空間を広く用いることができる。
【００２１】
請求項２に記載の農業用温室によれば、前記農業用温室は、奥行方向と直交する横方向に複数の棟を接続する連棟式の農業用温室であって、前記複数の棟間に配置し奥行方向に延設する前記内部構造体の桁材と、前記農業用温室の屋根材とを連結しているので、連棟式の農業用温室において、前記内部構造体との連結がより強固になる。
【００２２】
請求項３に記載の農業用温室によれば、前記内部構造体の桁材を支持する連棟間支柱は、前記複数の棟間の移動ができる所定間隔に配設されているので、比較的支柱間隔の短い連棟式の農業用温室の場合であっても、温室内部において棟間移動ができることとなる。
【００２３】
請求項４に記載の農業用温室によれば、前記農業用温室は、単棟式の農業用温室であって、前記農業用温室の側面において、前記内部構造体の桁材と接続部材を介して、前記農業用温室と前記内部構造体とが連結しているので、単棟式の農業用温室において、前記内部構造体との連結を簡易に行うことができる。
【発明を実施するための最良の形態】
【００２４】
以下、本発明を実施するための最良の形態を図面に基づいて具体的に説明する。
【００２５】
（第１の実施の形態）
【００２６】
図１乃至図１０は、本発明の第１の実施の形態を示すものであり、図１は本発明にかかる内部構造体を備えた農業用温室の要部斜視図であり、図２は要部正面図であり、図３は要部側面図であり、図４は要部拡大概略斜視図である。
【００２７】
図１乃至図４において、１０はパイプ式農業用温室であり、４棟を横方向Ｘ（図１の矢印Ｘ方向）に連棟して構成されている。図中１２は支柱であり、該支柱１２に連続する略円弧状に形成した二分割された屋根材１１を、アーチの頂部において、略へ字状の中空パイプ状の接続部材１６ａにより連結して、前記屋根材１１と支柱１２とで全体として略馬蹄形状にアーチ状部材を形成している。
【００２８】
そして、前記屋根材１１と前記支柱１２とで略馬蹄形状に形成したアーチ状部材を、奥行方向Ｙ（図１の矢印Ｙ方向）において各棟毎に夫々複数個を立設して、アーチ頂部において奥行方向Ｙに延びる棟材１６を接続金具（図示せず）により連結すると共に、これらアーチ状部材と直交するように奥行方向Ｙに向けて長尺の鋼管からなる桁材１３，１４，１５を、アーチ状部材の所定箇所で接続金具（図示せず）によって連結している。そして、前記棟間の谷部には樋１７を載置固定している。
【００２９】
一方、前記パイプ式農業用温室１０の適宜の棟の妻面２０には、出入口２１を設けると共に、前記屋根材１１から接続金具２２ａを介して間柱２２が連結されている。そして、前記妻面２０における連棟間の支柱１２，１２は、後述する図６に詳細に示すように、締結金具Ｋによって締結されおり、このように構成された前記パイプ式農業用温室１０の骨格の上から、フィルム材Ｆを被覆して、前記パイプ式農業用温室１０を形成している。
【００３０】
そして、前記パイプ式農業用温室１０の両妻面２０，２０側内部には、内部構造体３０，３０が、前記パイプ式農業用温室１０に連結した状態で前記骨格に近接するように配置しているのである。
【００３１】
図５は内部構造体の概略斜視図であり、図６は連棟間部におけるパイプ式農業用温室の屋根材と内部構造体の連棟間桁材との連結状態を示す要部拡大斜視図であり、図７はパイプ式農業用温室の棟材と内部構造体との連結状態を示す要部拡大図であり、図８はパイプ式農業用温室の桁材と内部構造体との連結状態を示す要部拡大図である。
【００３２】
図５に示すように、前記内部構造体３０は角形鋼管材を連結して構成されており、奥行方向Ｙに各２本の側面支柱３１，３１及び連棟間支柱３２，３２とを配して、該前記連棟間支柱３２，３２の上端には連棟間桁材３４を架設している。また対向する前記側面支柱３１，３１と前記連棟間支柱３２，３２には、夫々屋根材３５，３５を頂部において突き合い状態となるように架設しており、さらに前記屋根材３５，３５の頂部には、奥行方向Ｙに向けて棟材３６を、夫々架設しているのである。
【００３３】
なお、前記屋根材３５，３５および前記棟材３６等で構成される屋根面には、ブレースで構成された筋交い３７，３７が張設されており、また、前記側面支柱３１，３１および前記桁材３３で構成される側面にもブレースで構成された筋交い３８，３８が張設されている。
【００３４】
そして、図６に詳細に示すように、前記連棟間支柱３２の両側面には、前記屋根材１１の連棟側下端部を連結するための連結用筒部３４ａが、前記屋根材１１の傾斜に併せて上方に向けて傾斜して取り付けられており、該連結用筒部３４ａに屋根材１１の連棟側端部を挿入して固定連結するのである。
【００３５】
また、図２に示すように、前記内部構造体３０の屋根材３５は、妻面２０側において、前記パイプ式農業用温室１０の骨格を形成する間柱２２と、接続金具Ｊ１によって連結固定されている。
【００３６】
さらに、図７に示すように、前記内部構造体３０の屋根材３５は、前記パイプ式農業用温室１０の骨格を形成する棟材１６と、接続金具Ｊを介して連結すると共に、図８に示すように、前記内部構造体３０の側面支柱３１にＬ形金具Ｌを溶接等の固定手段で固定し、前記パイプ式農業用温室１０の骨格を形成する桁材１３を、前記Ｌ形金具Ｌ上に載置してボルトＢおよびナットＮで貫通固定しているのである。
【００３７】
前記側面支柱３１は、前記農業用温室１０の骨格を形成する支柱１２に近接するように配置して前記内部構造体３０と連結しているが、前記支柱１２に内接するように配置して前記内部構造体３０と連結してもよい。この場合には、前記内部構造体３０に別途桁材（図示せず）を設けても良い。また、前記内部構造体３０の棟材３６についても、前記実施態様では、前記パイプ式農業用温室１０の骨格を形成する前記棟材１６と近接するように配置して接続金具Ｊによって連結しているが、前記棟材３６を前記棟材１６に内接するように配設して前記棟材１６に直接連結固定しても良い。
【００３８】
そして、前記連棟間支柱３２，３２の支柱間間隔をトラクタ等の農業用器機が移動できるように、例えば２５０ｃｍ以上の間隔とすると、隣接する棟間においてトラクタ等の農業用器機の移動を容易に行うことができる。
【００３９】
以上のように構成された前記パイプ式農業用温室１０においては、その妻面２０側内部に前記パイプ式農業用温室１０と連結する前記内部構造体３０を設けたので、例えば、前記屋根材３５、前記棟材３６および前記連棟間桁材３４の前記内部構造体３０を構成する骨格に、換気設備（フィルム材を巻き上げるための巻き上げ軸及びこれを駆動するためのモーター等の設備）、遮光設備（遮光カーテンやこれを支持するために張設されたワイヤ等の設備）、灌水設備（散水用のホースおよびこれを支持するために張設されたワイヤ等の設備）、誘引設備（作物を誘引するための懸架線およびこれを支持するために張設されたワイヤ等の設備）、電照設備等の各種設備を直接又は支持部材（図示せず）を介して間接的に支持することができ、従来のパイプ式農業用温室では、強度が不足して設置することが困難であった設備についても、設置することができることとなる。また、前記内部構造体３０は、前記パイプ式農業用温室１０を構成する骨格に近接又は内接するように配設しているので、温室１０内部の空間を広く用いることができる。
【００４０】
図９は第１の実施の形態の他の例を示す正面視斜視図であり、図１０は図９の要部平面図である。
【００４１】
図９および図１０中、３９は前記連棟間支柱３２，３２および前記側面支柱３１，３１間に架設された補強梁であり、該補強梁３９，３９間には横方向Ｘに陸梁３９ａを架設すると共に、前記陸梁３９ａと前記補強梁３９間に方づえ３９ｂを架設している。本実施形態では、前記各種設備を、さらに前記陸梁３９ａ等に直接又は支持部材（図示せず）を介して間接的に支持することができ、例えば、両妻面に配置した前記陸梁３９ａ，３９ａ間に、ワイヤＷを架設して、該ワイヤＷに、作物を誘引するための懸架線を垂下させたり、また、散水用のホース等を巻回させたり、遮光カーテンを張設することができる。このように、本発明に係る前記内部構造体３０は、配設する各種設備の仕様に合わせて、適宜、補強部材を追加しても良い。
【００４２】
（第２の実施の態様）
【００４３】
図１１乃至図１３は、本発明の第２の実施の形態を示すものであり、図１１は本発明にかかる第２の実施の態様のパイプ式農業用温室の概略斜視図であり、図１２は要部斜視図であり、図１３は内部構造体の概略斜視図である。なお、第２の実施の態様において、第１の実施の態様と共通する部分は、同符号を付して説明を省略する。
【００４４】
図１１及び図１２において、４０は単棟式のパイプ式農業用温室であり、該単棟式のパイプ式農業用温室４０の両妻面２０，２０側内部にも、図１３に示す内部構造体５０，５０を連結設置することができる。該内部構造体５０は、第１の実施の形態の前記内部構造体３０と同様に角形鋼管材を連結して構成されており、奥行方向に各２本の側面支柱３１，３１及び連棟間支柱３２，３２とを配して、前記側面支柱３１，３１の上端には、前記第１の実施の形態にはない桁材３３を架設して桁方向の強度を高めると共に、前記連棟間支柱３２，３２の上端には連棟間桁材３４を架設し、対向する前記側面支柱３１，３１間に夫々屋根材３５，３５を頂部において突き合い状態となるように架設しており、さらに前記屋根材３５，３５の頂部には、奥行方向Ｘに向けて棟材３６を架設している。
【００４５】
前記内部構造体５０は、桁材３３と前記パイプ式農業用温室４０を構成する支柱１２と接続部材（図示せず）を介して固定連結されていると共に、前記内部構造体５０の側面支柱３１にＬ形金具Ｌを溶接等の固定手段で固定し、前記パイプ式農業用温室２０の骨格を形成する桁材１３を、前記Ｌ形金具Ｌ上に載置してボルトＢおよびナットＮで貫通固定しているのである。
【００４６】
また、前記パイプ式農業用温室４０の棟材１６と近接する前記内部構造体５０の棟材３６間とに接続部材（図示なし）を介して連結するようにしても良い。
【００４７】
なお、第１の実施態様および第２の実施態様において、前記パイプ式農業用温室１０，４０の奥行方向Ｙが長くなる場合には、前記内部構造体３０，５０を、両妻面２０，２０のみならず、奥行方向Ｙの中間部等の適宜箇所に配置してもよい。
【００４８】
以上のように構成された前記パイプ式農業用温室４０においては、その妻面２０側内部に前記パイプ式農業用温室１０と連結する前記内部構造体５０を設けたので、前記第１の実施態様と同様に、前記桁材３３、前記屋根材３５および前記棟材３６に、換気設備（フィルム材を巻き上げるための巻き上げ軸及びこれを駆動するためのモーター等の設備）、遮光設備（遮光カーテンやこれを支持するために張設されたワイヤ等の設備）、灌水設備（散水用のホースおよびこれを支持するために張設されたワイヤ等の設備）、誘引設備（作物を誘引するための懸架線およびこれを支持するために張設されたワイヤ等の設備）、電照設備等の各種設備を直接又は支持部材（図示せず）を介して間接的に支持することができ、従来のパイプ式農業用温室では、強度が不足して設置することが困難であった設備についても、設置することができる。
【図面の簡単な説明】
【００４９】
【図１】本発明にかかる第１の実施の態様のパイプ式農業用温室の要部斜視図である。
【図２】同要部正面図である。
【図３】同要部側面図である。
【図４】同要部拡大概略斜視図である。
【図５】同内部構造体の概略斜視図である。
【図６】同連棟間部におけるパイプ式農業用温室の屋根材と内部構造体の連棟間桁材との連結状態を示す要部拡大斜視図である。
【図７】パイプ式農業用温室の棟材と内部構造体との連結状態を示す要部拡大図である。
【図８】パイプ式農業用温室の桁材と内部構造体との連結状態を示す要部拡大図である。
【図９】第１の実施の形態の他の例を示す正面視斜視図である。
【図１０】図７の要部平面図である。
【図１１】本発明にかかる第２の実施の態様のパイプ式農業用温室の概略斜視図である。
【図１２】同要部斜視図である。
【図１３】同内部構造体の概略斜視図である。
【符号の説明】
【００５０】
１０，４０  パイプ式農業用温室
１１    屋根材
１２    支柱
１３    桁材
１４    桁材
１５    桁材
１６    棟材
１６ａ  接続部材
１７    樋
Ｘ      横方向
Ｙ      奥行方向
２０    妻面
２１    出入口
２２    間柱
Ｋ      締結金具
Ｆ      フィルム材
３０，５０    内部構造体
３１    側面支柱
３２    連棟間支柱
３２ａ  連結用筒部
３３    桁材
３４    連棟間桁材
３５    屋根材
３６    棟材
３７    筋交い
３８    筋交い
３９    補強梁
３９ａ  陸梁
３９ｂ  方づえ
Ｊ      接続金具
Ｊ１    接続金具
Ｌ      Ｌ形金具
Ｂ      ボルト
Ｎ      ナット
Ｗ      ワイヤ
【図１】
2010075160.tif 000003
【図２】
2010075160.tif 000004
【図３】
2010075160.tif 000005
【図４】
2010075160.tif 000006
【図５】
2010075160.tif 000007
【図６】
2010075160.tif 000008
【図７】
2010075160.tif 000009
【図８】
2010075160.tif 000010
【図９】
2010075160.tif 000011
【図１０】
2010075160.tif 000012
【図１１】
2010075160.tif 000013
【図１２】
2010075160.tif 000014
【図１３】
2010075160.tif 000015